(57)【要約】  【課題】滑り止め効果を有することは勿論のこと、脱ぎ履きが容易な中敷きを提供すること。【解決手段】中敷き本体と、中敷き本体の上面よりも低い位置に配置される滑り止め部材と、滑り止め部材を中敷き本体に対して上方に付勢させるための付勢部材とを備えており、中敷き本体に荷重がかかったときに、滑り止め部材の上面が、付勢部材を介して中敷き本体の上面よりも高い位置に位置変更するように構成されている。【選択図】図１
2006130036.tif 000002
【特許請求の範囲】
【請求項１】
中敷き本体と、中敷き本体の上面よりも低い位置に配置される滑り止め部材と、滑り止め部材を中敷き本体に対して上方に付勢させるための付勢部材とを備えており、中敷き本体に荷重がかかったときに、滑り止め部材の上面が、付勢部材を介して中敷き本体の上面よりも高い位置に位置変更するように構成されていることを特徴とする中敷き。
【請求項２】
中敷き本体が、足裏の接触部分と対応する位置に貫通孔を有し、中敷き本体の下面に、前記貫通孔を閉止する伸縮性を有するシート状部材が接着されており、滑り止め部材が、前記貫通孔内におけるシート状部材の上面に配置されているとともに、付勢部材が、シート状部材の下面で滑り止め部材に対向する位置に配置されていることを特徴とする請求項１記載の中敷き。
【請求項３】
付勢部材の下面に、滑り止め加工が施されていることを特徴とする請求項１または２記載の中敷き。
【発明の詳細な説明】
【技術分野】
【０００１】
本発明は、履物の中敷きに関するもので、より詳しくは、主として足が履物のつま先側に向かって滑るのを防止する滑り止め機能を備えた中敷きに関するものである。
【背景技術】
【０００２】
一般的に、既製の履物は、デザイン性を重視しているため、自分の足にぴったりと合うことは少ない。自分の足に合わない履物を履いて歩行すると、足裏が履物のつま先側に滑ったり移動したりして、安定した踏み込みや蹴り返しが行えず、膝や腰に負担がかかってしまい、足腰に痛みが生じやすい。また、踵の高いパンプスやサンダル等では、重力によって足先が履物のつま先側に移動し、足先がつま先部分に押し付けられて足指に無理な力がかかり、外反母趾やハンマートゥなどの疾患を起こすこともある。
そこで、足先が履物のつま先側に向かって滑るのを防ぐために、表面に滑り止め加工がなされた平板状の滑り防止パッドが上市されている。さらに、滑り防止効果を高めるために、中央部をその周縁部よりも隆起させ、その隆起部分に多数のディンプルを設けた滑り防止パッドが提案されている。（例えば、特許文献１参照）。
【特許文献１】実用新案登録３０８６９４１号公報
【発明の開示】
【発明が解決しようとする課題】
【０００３】
しかしながら、上記の滑り防止パッドは、中央部がその周縁部よりも隆起しており、その隆起部分に多数のディンプルが設けられているので、隆起部分の摩擦力が大きく、歩行時には高い滑り止め効果が得られるものの、その反面、隆起部分に足裏が引っかかり脱ぎ履きしにくいという不具合がある。
本発明は、以上の問題点に鑑みてなされたものであって、滑り止め効果を有することは勿論のこと、脱ぎ履きが容易な中敷きを提供することを目的としている。
【課題を解決するための手段】
【０００４】
本発明の中敷きは、中敷き本体と、中敷き本体の上面よりも低い位置に配置される滑り止め部材と、滑り止め部材を中敷き本体に対して上方に付勢させるための付勢部材とを備えており、中敷き本体に荷重がかかったときに、滑り止め部材の上面が、付勢部材を介して中敷き本体の上面よりも高い位置に位置変更するように構成されていることを特徴とするものである。
【０００５】
また、中敷き本体が、足裏の接触部分と対応する位置に貫通孔を有しており、中敷き本体の下面には、前記貫通孔を閉止する伸縮性を有するシート状部材が接着されており、滑り止め部材が、前記貫通孔内におけるシート状部材の上面に配置されているとともに、付勢部材が、シート状部材の下面で滑り止め部材に対向する位置に配置されていてもよい。
【０００６】
さらに、付勢部材の下面に、滑り止め加工が施されていてもよい。
【発明の効果】
【０００７】
本発明の中敷きによれば、中敷き本体と、中敷き本体の上面よりも低い位置に配置される滑り止め部材と、滑り止め部材を中敷き本体に対して上方に付勢させるための付勢部材とを備えており、中敷き本体に荷重がかかったときに、滑り止め部材の上面が、付勢部材を介して中敷き本体の上面よりも高い位置に位置変更するように構成されているので、  この中敷きが装着された履物を脱ぎ履きする際には、足裏から中敷き本体に力がかからないため、滑り止め部材の上面が中敷き本体の上面よりも低い位置に配置された状態が維持され、足裏に滑り止め部材が接触しない。したがって、足裏が滑り止め部材から摩擦力を受けないので、スムーズに脱ぎ履きすることができる。
また、起立時や歩行時など、足裏から中敷き本体に対して体重がかかった時には、付勢部材の作用により、滑り止め部材の上面が中敷き本体の上面よりも高い位置に位置変更され、足裏に滑り止め部材が接触する。したがって、足裏が滑り止め部材から摩擦力を受けるので、足先がつま先側に向かって滑るのを防止でき、足先を履物のつま先部分における適正な位置に配置できるため、足先の窮屈さや痛みを感じることなく快適に歩行することができる。さらに、足先に無理な力がかからないので、外反母趾やハンマートゥなどの疾患を防止できるという利点もある。
【０００８】
また、中敷き本体が、足裏の接触部分と対応する位置に貫通孔を有しており、中敷き本体の下面に、前記貫通孔を閉止する伸縮性を有するシート状部材が接着されており、滑り止め部材が、前記貫通孔内におけるシート状部材の上面に配置されているとともに、付勢部材が、シート状部材の下面で滑り止め部材に対向する位置に配置されているものでは、足裏から中敷き本体に対して体重がかかると、中敷き本体の下面に接着されたシート状部材が、付勢部材の付勢力を受けて伸びることによって、滑り止め部材の上面を中敷き本体の上面よりも高い位置に容易に位置変更させることができる。つまり、シート状部材の特性を利用することにより、簡単な構造でありながら、滑り止め部材を足裏側に位置変更させることができるので、起立時や歩行時に、足先がつま先側に向かって滑るのを容易かつ確実に防止できる。
【０００９】
さらに、付勢部材の下面に滑り止め加工が施されているものでは、履物に対する中敷きの位置ズレを防止できる。したがって、歩行時に、中敷きが履物に対して相対移動することなく、足裏を確実に受け止めるので、足先がつま先側に向かって滑るのをより確実に防止できる。
【発明を実施するための最良の形態】
【００１０】
以下、本発明の一実施形態にかかる中敷き１を図面に基づいて説明する。
【００１１】
本実施形態にかかる中敷き１は、図1から図３に示すように、貫通孔２１を有する中敷き本体２と、中敷き本体２の下面に接着されて貫通孔２１を閉止するシート状部材３と、貫通孔２１内において、シート状部材３の上面に配置される滑り止め部材４と、シート状部材３の下面で、滑り止め部材４と対向する位置に配置される付勢部材５と、中敷き本体２のかかと部分に設けられるかかと滑り止め部材６とを備えている。
【００１２】
中敷き本体２は、上面に微小な凹凸面が形成された可撓性を有する厚さ０．７５ｍｍのポリプロピレン樹脂製で、履物の内底部Ｓ２に装着可能な足型形状に形成されている。貫通孔２１は、前後に細長い３つの長孔からなり、足裏の接触部分と対応する位置、すなわち、踏み込み時や蹴り返し時に力のかかる中足骨頭付近から土踏まずの手前までの範囲に対応する位置に、幅方向に所定間隔あけて設けられている。また、中敷き本体２の土踏まず付近には、足の蒸れ防止用に、直径５ｍｍの多数の連通孔７が穿設されている。
【００１３】
シート状部材３は、伸縮性を有する厚さ０．０７５ｍｍのビニロン樹脂製フィルムで、中敷き本体２の下面における貫通孔２１を含む範囲に幅方向に接着されており、貫通孔２１を閉止している。
【００１４】
滑り止め部材４は、一面に微小な凹凸面が形成されたクッション性を有する厚さ０．５ｍｍの改質アクリル系弾性樹脂製で、貫通孔２１よりも一回り小さく形成されている。そして、中敷き本体２の貫通孔２１内におけるシート状部材３の上面に、凹凸面を上側にして止着されている。
【００１５】
付勢部材５は、滑り止め部材４と同様に、一面に微小な凹凸面が形成されたクッション性を有する厚さ０．５ｍｍの改質アクリル系弾性樹脂製で、滑り止め部材４と同じ形状に形成されており、シート状部材３の下面における滑り止め部材４と対向する位置に、凹凸面を下側にして止着されている。
【００１６】
かかと滑り止め部材６は、滑り止め部材４と同様に、一面に微小な凹凸面が形成されたクッション性を有する厚さ０．５ｍｍの改質アクリル系弾性樹脂製で、中敷き本体２の上面に配置されるかかと側部材６１と、中敷き本体２の下面に配置される履物側部材６２とから構成されている。かかと側部材６１は、直径４０ｍｍの円板状で、凹凸面を上側にして中敷き本体２の上面に接着されている。履物側部材６２は、直径２８ｍｍの円板状で、凹凸面を下側にして中敷き本体２の下面に接着されている。
【００１７】
上記のように構成された中敷き１は、自然状態、すなわち中敷き本体２の上面に外力がかからない状態では、図2，図3に示すように、中敷き本体２の下面側に配置された付勢部材５が下方に突出しており、滑り止め部材４が中敷き本体２の上面よりも低い位置に配置されている。
【００１８】
そして、図6に示すように、中敷き１が履物Ｓの内部に装着されると、中敷き本体２は、履物の内底面Ｓ２からわずかに離れた位置に、付勢部材５によって支持される。
【００１９】
履物Ｓを脱ぎ履きする際には、中敷き本体２の上面に体重がかからないので、滑り止め部材４は、図4に示すように、中敷き本体２の上面よりも低い位置に配置された状態を維持し、足裏には当接しない。
【００２０】
足先を履物内に挿入した後、起立したり歩行したりすることによって、足裏から中敷き本体２に対して体重がかかると、履物の内底面Ｓ２に接している付勢部材５が、履物の内底面Ｓ２から反力を受けてシート状部材３を上方に押し上げる。すると、シート状部材３が伸びて、図5に示すように、滑り止め部材４の上面が、中敷き本体２の上面よりも高い位置に位置変更されて足裏に密着する。
【００２１】
以上のように、本実施形態にかかる中敷き１によれば、中敷き本体２に外力がかかっていないときには、滑り止め部材４が中敷き本体２の上面よりも低い位置に配置され、起立時や歩行時など、足裏から中敷き本体２に対して体重がかかったときには、滑り止め部材４が中敷き本体２の上面よりも高い位置に位置変更されるものであるので、中敷き１を装着してなる履物を脱ぎ履きする際には、中敷き本体２に体重がかからないため、滑り止め部材４が中敷き本体２の上面よりも低い位置に配置された状態が維持される。したがって、足裏が滑り止め部材４による摩擦力を受けないので、履物をスムーズに脱ぎ履きすることができる。
【００２２】
一方、足裏から中敷き本体２に対して体重がかかったときには、滑り止め部材４が足裏に密着し、足裏が滑り止め部材４による摩擦力を受けるため、足先がつま先側に向かって滑るのを防止でき、足先を履物のつま先部分における適正な位置に配置できるので、足指の痛みを感じることなく快適に歩行することができる。さらに、足先に無理な力がかからないので、外反母趾やハンマートゥなどの疾患を防止できるという利点もある。
【００２３】
また、中敷き本体２の貫通孔２１は、前後に細長い３つの長孔からなり、足裏の接触部分と対応する位置、すなわち、踏み込み時や蹴り返し時に力のかかる中足骨頭付近から土踏まずの手前までの範囲に対応する位置に、幅方向に所定間隔あけて設けられており、貫通孔２１内に配置される滑り止め部材４も、当然ながら、幅方向に所定間隔あけて設けられている。
その結果、滑り止め部材４が、足裏に過度に密着しないので、快適に歩行できる上、よりスムーズに脱ぎ履きすることができる。さらに、中敷き本体２と足裏との間に隙間が生じ、空気が流通しやすくなるので、足裏の蒸れを防止できる。
【００２４】
また、シート状部材３が、伸縮性を有する材質で形成されているので、起立時や歩行時など、足裏から中敷き本体２に対して体重がかかったときに、中敷き本体２の下面に接着されたシート状部材３が、付勢部材５の付勢力を受けて伸びることによって、滑り止め部材４を中敷き本体２の上面よりも高い位置にスムーズに配置させることができる。つまり、シート状部材の特性を利用することにより、簡単な構造でありながら、足先がつま先側に向かって滑るのを容易かつ確実に防止できる。
【００２５】
また、付勢部材５が、シート状部材３の下面における滑り止め部材４と対向する位置に、凹凸面を下側にして接着されており、履物側部材６２が、凹凸面を下側にして中敷き本体２の下面に接着されているので、履物の内底面Ｓ２に対する中敷き１の位置ズレを防止できる。したがって、歩行時に、中敷きが履物の内底面Ｓ２に対して相対移動することなく、足裏を確実に受け止めるので、足先がつま先側に向かって滑るのをより確実に防止できる。
【００２６】
なお、本発明にかかる中敷きは、本実施の形態の中敷き１の構成に限定されるものではない。したがって、例えば、図７に示すように、中敷き１のほぼ前半分だけの形状の中敷き１ａであってもよい。中敷き１ａは、中敷き本体２ａが、体重のかかる足先部分、詳しくは、土踏まずの前方から足先部分までの範囲に対応する形状に形成されており、図８に示すように、履物の中底面Ｓ２に装着していることが目立ちにくいため、ファッション性の高いパンプスやサンダル等への装着に適している。その他の部分については材質、構造ともに中敷き１と同様であるので、同じ符号を付記することにより説明を省略する。
【００２７】
また、中敷き本体２，２ａの貫通孔２１は、前後に細長い長孔形状に限られず丸孔でも三角形状孔でもよいし、また、孔数が2つ以下でも4つ以上であってもよい。
【００２８】
また、滑り止め部材４を中敷き本体２，２ａの上面よりも高い位置に位置変更させる手段としては、シート状部材３や付勢部材５に限定されるものではなく、他の構造であってもよい。
【図面の簡単な説明】
【００２９】
【図１】本発明の一実施形態に係る中敷き１の平面図である。
【図２】図1をＸ―Ｘ線で断面して示す縦断面図である。
【図３】図1をＹ―Ｙ線で断面して示す横断面図である。
【図４】図３の一部を拡大して示す要部拡大断面図である。
【図５】図4における中敷き本体２の上面に外力がかかった場合の滑り止め部材４の位置変更状態を示す説明図である。
【図６】中敷き１を装着してなる履物Ｓを履く動作を示す説明図である。
【図７】本発明の他の実施形態に係る中敷き１ａの平面図である。
【図８】中敷き１ａを装着してなる履物Ｓを履く動作を示す説明図である。
【符号の説明】
【００３０】
１，１ａ    中敷き
２，２ａ    中敷き本体
２１        貫通孔
３          シート状部材
４          滑り止め部材
５          付勢部材
【図１】
2006130036.tif 000003
【図２】
2006130036.tif 000004
【図３】
2006130036.tif 000005
【図４】
2006130036.tif 000006
【図５】
2006130036.tif 000007
【図６】
2006130036.tif 000008
【図７】
2006130036.tif 000009
【図８】
2006130036.tif 000010